(57)【要約】【課題】抽出口周りの構造を単純化でき、また底部分を必要に応じて高い強度で形成することが可能な定量抽出容器を提供する。【解決手段】柔軟性を有する薄肉な可撓性の合成樹脂製のスリーブ１を押し出し成形によりシームレスに形成し、スリーブの上端１ａに、インサート成形によって当該スリーブの外径寸法に納まる寸法で剛性を有する合成樹脂製の首部品２を一体成形し、スリーブの下端１ｂに、スリーブ内に嵌装される筒部３と、スリーブの下端から外方へ張り出される鍔部４と、筒部内に配置されてスリーブの上端側へ向かって延出され当該スリーブの可撓量を規制する規制部５とを備え、剛性を有する底部品６を装着するとともに、スリーブに、その上端から下端へ向かってスライド自在に挿入されて筒部との間でスリーブを挟み込みかつ鍔部と接合される剛性を有する押さえリング７を装着する。【選択図】図２
2006008171.tif 000002
【特許請求の範囲】
【請求項１】
柔軟性を有する薄肉な可撓性の合成樹脂製のスリーブを押し出し成形によりシームレスに形成し、該スリーブの一端に、インサート成形によって当該スリーブの外径寸法に納まる寸法で剛性を有する合成樹脂製の首部品を一体成形し、上記スリーブの他端に、該スリーブ内に嵌装される筒部と、該スリーブの他端から外方へ張り出される鍔部と、該筒部内に配置されて該スリーブの一端側へ向かって延出され当該スリーブの可撓量を規制する規制部とを備え、剛性を有する底部品を装着するとともに、上記スリーブに、その一端から他端へ向かってスライド自在に挿入されて上記筒部との間で該スリーブを挟み込みかつ上記鍔部と接合される剛性を有する押さえリングを装着したことを特徴とする定量抽出容器。
【発明の詳細な説明】
【技術分野】
【０００１】
本発明は、抽出口周りの構造を単純化でき、また底部分を必要に応じて高い強度で形成することが可能な定量抽出容器に関する。
【背景技術】
【０００２】
この種の定量抽出容器として、例えば特許文献１が知られている。この定量抽出容器は、圧搾操作されて抽出口から内容物を抽出するブロー成形された容器本体の口部から容器本体内方へ突出させて、容器本体の圧搾操作量を規制する規制体を設けるとともに、規制体に、容器本体内部と抽出口とを連通させる開口部を設けて構成されている。
【特許文献１】実開平５−４０１８３号公報
【発明の開示】
【発明が解決しようとする課題】
【０００３】
ところで、上記従来技術にあっては、容器本体をブロー成形することを前提としてその内部に規制体を設ける関係上、ガス吹き込み側となる抽出口に対して規制体を設けなければならず、抽出口周りの構造が複雑になってしまうという課題があった。また、ブロー成形ではその成形法に従って、抽出口部分の肉厚は適宜に設定できる一方、底部分は薄肉に形成されることとなるため、薄肉容器であっても底部分の強度を確保したい場合、特に抽出に伴う圧搾操作に対して底部分の強度を十分に確保したい場合などには不満足なものであるという課題もあった。
【０００４】
本発明は上記従来の課題に鑑みて創案されたものであって、抽出口周りの構造を単純化でき、また底部分を必要に応じて高い強度で形成することが可能な定量抽出容器を提供することを目的とする。
【課題を解決するための手段】
【０００５】
本発明にかかる定量抽出容器は、柔軟性を有する薄肉な可撓性の合成樹脂製のスリーブを押し出し成形によりシームレスに形成し、該スリーブの一端に、インサート成形によって当該スリーブの外径寸法に納まる寸法で剛性を有する合成樹脂製の首部品を一体成形し、上記スリーブの他端に、該スリーブ内に嵌装される筒部と、該スリーブの他端から外方へ張り出される鍔部と、該筒部内に配置されて該スリーブの一端側へ向かって延出され当該スリーブの可撓量を規制する規制部とを備え、剛性を有する底部品を装着するとともに、上記スリーブに、その一端から他端へ向かってスライド自在に挿入されて上記筒部との間で該スリーブを挟み込みかつ上記鍔部と接合される剛性を有する押さえリングを装着したことを特徴とする。
【発明の効果】
【０００６】
本発明にかかる定量抽出容器にあっては、抽出口周りの構造を単純化でき、また底部分を必要に応じて高い強度で形成することができる。
【発明を実施するための最良の形態】
【０００７】
以下に、本発明にかかる定量抽出容器の好適な一実施形態を、添付図面を参照して詳細に説明する。本実施形態にかかる定量抽出容器は基本的には、図１および図２に示すように、柔軟性を有する薄肉な可撓性の合成樹脂製のスリーブ１を押し出し成形によりシームレスに形成し、スリーブ１の一端に、インサート成形によって当該スリーブ１の外径寸法に納まる寸法で剛性を有する合成樹脂製の首部品２を一体成形し、スリーブ１の他端に、スリーブ１内に嵌装される筒部３と、スリーブ１の他端から外方へ張り出される鍔部４と、筒部３内に配置されてスリーブ１の一端側へ向かって延出され当該スリーブ１の可撓量を規制する規制部５とを備え、剛性を有する底部品６を装着するとともに、スリーブ１に、その一端から他端へ向かってスライド自在に挿入されて筒部３との間でスリーブ１を挟み込みかつ鍔部４と接合される剛性を有する押さえリング７を装着して構成される。
【０００８】
本実施形態にあってはスリーブ１は、ポリエチレンなどの合成樹脂を素材として、周知の押し出し成形により薄肉に成形され、これにより柔軟性があって可撓性に富み、周面には継ぎ目がなく、そして上端１ａおよび下端１ｂがともに開放された中空円筒体状に形成される。このスリーブ１の上端１ａには、ポリプロピレンなどの合成樹脂を素材として、スリーブ１よりも厚い肉厚で形成されて剛性の高い首部品２が一体成形される。
【０００９】
首部品２は、成形型にインサートしたスリーブ１の上端１ａに対して合成樹脂を射出して成形する、周知のインサート成形によってスリーブ１と一体的に形成される。首部品２は、図示しないキャップが螺合されるネジ部を有する抽出筒部８と、この抽出筒部８の下端から外方へ拡張形成された肩部９が一体に成形されて構成される。また抽出筒部８には、内容物を抽出するための抽出ノズル１０が装着される。首部品２はその肩部９の外径寸法がスリーブ１の外径寸法よりも小さく設定され、これによりスリーブ１は上端１ａの開口が窄められた形態で、首部品２と一体化される。
【００１０】
底部品６は、円板状の底板部１１と、底板部１１の周縁から上方へ向かって形成され、スリーブ１内にその下端１ｂ開口から嵌装される筒部３と、底板部１１の周縁部に筒部３位置からさらに外方へ向かって拡張形成された環状の鍔部４と、筒部３内に位置させて、底板部１１からスリーブ１の上端１ａ側へ向かって、首部品２の肩部９位置よりも低い適宜な高さ位置まで延出された規制部５とが一体成形されて構成される。この底部品６は、ポリプロピレンなどの合成樹脂を素材として、インジェクション成形により寸法精度高くかつ相当の肉厚で剛性高く形成される。底部品６は金属製であっても良い。
【００１１】
筒部３は、スリーブ１内への挿入によって互いに重ね合わされるその外周面とスリーブ１の内周面との密着性を高めて高い密封性を確保すべく、スリーブ１の下端１ｂをその可撓性によって僅かながら押し広げつつスリーブ１内に嵌装されるように、その外径寸法がスリーブ１の内径寸法よりも僅かに大きく形成される。この筒部３の上端外周縁には、スリーブ１への挿入を容易化するために、上方へ向かって窄まるテーパ面３ａが形成される。また鍔部４は、筒部３を介してスリーブ１に底部品６を取り付けた際に、スリーブ１の下端１ｂから外向きに張り出されるようになっている。規制部５は、スリーブ１の内径寸法よりも小さな外径寸法で形成され、柔軟性を有する当該スリーブ１が外方から押し窄められて可撓変形される際にその可撓変形量を一定量に規制するために、スリーブ１内部に二重管構造となるように設けられる。
【００１２】
押さえリング７は中空円筒状に形成され、スリーブ１の上端１ａから下端１ｂへ向かってスライド自在に挿入できるように、その内径寸法が、筒部３によって押し広げられた状態のスリーブ１の下端１ｂ周辺の外径寸法にほぼ一致するように設定される。また押さえリング７の外径寸法は、ほぼ鍔部４の外径寸法に合致するように設定される。押さえリング７は、合成樹脂製であっても金属製であっても良い。
【００１３】
本実施形態にかかる定量抽出容器の組み立て操作について説明すると、まず、スリーブ１を押し出し成形する。この押し出し成形したスリーブ１の上端１ａに、首部品２をインサート成形により一体成形する。他方、底部品６および押さえリング７を別途作成しておく。底部品６の筒部３をスリーブ１の下端１ｂ開口からその内部に嵌装し、これによりスリーブ１に底部品６を装着する。この装着操作により、筒部３と重なり合うスリーブ１の下端１ｂは僅かながら押し広げられる。その後、首部品２が取り付けられているスリーブ１の上端１ａから押さえリング７を挿入し、この押さえリング７を鍔部４に突き当たるスリーブ１の下端１ｂまでスライド移動させ、筒部３周辺に対して押し込む。これにより、スリーブ１は押さえリング７と底部品６の筒部３との間に強固に挟み込まれる。最後に、押さえリング７と底部品６の鍔部４とを接着などにより接合する。
【００１４】
次に本実施形態にかかる定量抽出容器の使用状態について説明すると、使用に際しては抽出ノズル１０を下方へ向ける。そしてスリーブ１を手指で掴んでこれを窄ませるように可撓変形させると、スリーブ１は規制部５に当接する一定の可撓量で可撓変形され、これにより一定量の内容物を抽出ノズル１０から抽出することができる。抽出後は、手指をスリーブ１から離すと、抽出ノズル１０から外気が吸い込まれて、スリーブ１は可撓変形前の元の姿に復原することになる。従って、再度の抽出操作の際にも、規制部５によりスリーブ１は同じ一定の可撓量で変形されることとなり、常に内容物を定量で抽出することができる。
【００１５】
以上説明した本実施形態にかかる定量抽出容器にあっては、押し出し成形によるスリーブ１を用い、このスリーブ１の上端１ａに、インサート成形によって首部品２を一体成形する一方で、スリーブ１の下端１ｂに、規制部５を設けた底部品６を装着するようにしたので、スリーブ１の下端１ｂから規制部５を設けることができ、抽出ノズル１０が取り付けられる首部品２周辺の構造を簡単化することができる。また、本体となるスリーブ１を押し出し成形で形成し、このスリーブ１に対して別部品で底部品６を装着するようにしたので、薄肉容器でありながら底部分の肉厚を必要に応じて適宜に厚くして高い強度で形成することができ、定量抽出に伴う圧搾操作に対して底部分の強度を十分に確保したい場合など、定量抽出容器として必要な耐久性を適切に向上することができる。
【図面の簡単な説明】
【００１６】
【図１】本発明にかかる定量抽出容器の好適な一実施形態を示す側断面図である。
【図２】図１の定量抽出容器の使用状態を示す側断面図である。
【符号の説明】
【００１７】
１  スリーブ
２  首部品
３  筒部
４  鍔部
５  規制部
６  底部品
７  押さえリング
【図１】
2006008171.tif 000003
【図２】
2006008171.tif 000004